(57)【要約】【課題】尻側に掛止突起を有する防災瓦では、係合部との緊密なる係合状態を確保出来ない。【解決手段】瓦本体６の頭側裏面におけるオーバーラップ部３との境界部寄りに係止クリップ７を固定一体化した平板瓦１における引掛け４、4aを、屋根下地Ｗに固定された横桟11に掛止し、平板瓦１の係止クリップ７における伸長変形状態のクリップ本体部９の折返し部10を、横桟11における流れ方向の上方側に設けた被係止部15に掛止状態としてクリップ本体部９の弾性復元力により緊密な係合状態を確保しつつ、瓦本体６の頭側のオーバーラップ部３側を下方に押さえ付けると同時に、瓦本体６のオーバーラップ部３で、桁行き方向に隣接する瓦本体６のアンダーラップ部２を上方より押さえ付け頭側のアンダーラップ部２側を下方に押さえ付けることから、葺設状態における瓦本体６の頭側が全体的に下方に押し付けられて、浮き上がらずがたつきもしない。【選択図】図５
2016023474.tif 000002
【特許請求の範囲】
【請求項１】
一側部にアンダーラップ部を、他側部にオーバーラップ部を有し、尻側裏面に引掛けを、頭側に前垂れを一体形成した瓦本体と、該瓦本体の頭側裏面におけるオーバーラップ部との境界部寄りに固定一体化した係止クリップとを有し、該係止クリップは、瓦本体への固定部と、該固定部の端部に連続形成された弾性変形可能なクリップ本体部とを有し、該クリップ本体部の先端に、前記瓦本体の頭側への折返し部を形成したことを特徴とする平板瓦。
【請求項２】
請求項１記載の平板瓦における引掛けを、屋根下地に固定された横桟に掛止し、前記平板瓦の係止クリップにおける伸長変形状態のクリップ本体部の折返し部を、前記横桟における流れ方向の上方側に設けた被係止部に掛止状態としたことを特徴とする瓦屋根構造。
【請求項３】
前記横桟は、流れ方向に対向する一対の壁部材と、該一対の壁部材の下端部の連結部材とを有し、前記被係止部は、前記流れ方向の上方側に位置する他方の壁部材の先端部を折り返して形成したことを特徴とする請求項２記載の瓦屋根構造。
【請求項４】
横桟の屋根下地への固定工程と、前記横桟へ前記引掛けを引っ掛けて屋根下地上に請求項１記載の平板瓦を葺設する工程と、前記平板瓦の係止クリップにおけるクリップ本体部を伸長変形させて、前記係止クリップにおける折返し部を、前記横桟における被係止部に係合させる工程とを有していることを特徴とする瓦屋根工法。
【発明の詳細な説明】
【技術分野】
【０００１】
本発明は、尻側に釘、ネジ等を打たずに屋根下地側に固定可能にした平板瓦、該平板瓦を使用した瓦屋根構造及び瓦屋根工法に関する。
【背景技術】
【０００２】
従来、一般的な瓦は、一側部にアンダーラップ部を、他側部にオーバーラップ部を有し、尻側裏面に引掛けが、頭側に前垂れが一体形成され、且つ尻側に釘孔が貫設されており、屋根下地における流れ方向に所定間隔毎に並設された横桟に前記引掛けを掛けると共に、オーバーラップ部を、桁行き方向に隣接する瓦のアンダーラップ部に重ね、頭側を、葺設された下方の瓦の尻側に重ねて、屋根下地上に載置し、前記釘孔を貫通させた釘、ネジ等を屋根下地側に打ち込むことで固定する様に成っている。
【０００３】
しかし、雨仕舞いの関係上、屋根下地側のアスファルトルーフィング及び野地板に釘、ネジ等を打ち込むことはなるべく避けたいが、前述の瓦では、横桟を屋根下地に固定する釘、ネジ等の他に、瓦の尻側を固定するための釘、ネジ等でもアスファルトルーフィング及び野地板に孔を開けてしまうため、雨漏りの発生原因を増やす結果と成ってしまっている。
【０００４】
そこで、横桟に形成した上方開口状の凹部に引掛けを嵌め込むことで、屋根下寺側に固定可能な横桟及び瓦が見受けられ（例えば、特許文献１参照）、この従来技術１では、アスファルトルーフィング及び野地板に打ち込む釘、ネジ等を横桟用のものだけにすることが可能になった。
【０００５】
しかし、上記従来技術１にあっては、瓦を固定するために釘、ネジ等を使用しないだけで、尻側だけを固定するに過ぎないため、完成された瓦屋根に軒側から強風が吹き上がると、葺設状態における頭側が浮き上がってしまって、最悪捲くれ上がって吹き飛ばされてしまう可能性を否定出来ない。
【０００６】
又、葺設状態において頭側の浮き上がりを防止する所謂「防災瓦」として、尻側上面に掛止突起を一体成形すると共に、オ−バーラップ部下面の境界部に形成された段差部に切欠き溝状の掛止突起の係合部を形成したものが見受けられ（例えば、特許文献２参照）、この従来技術２では、葺設状態における上方の防災瓦の係合部を、下方の防災瓦の掛止突起に係合させることで、葺設状態における上方の防災瓦の頭側をオーバーラップ部に近い位置で固定出来ると同時に、この防災瓦のアンダーラップ部は、桁行き方向に隣接する平板瓦のオーバーラップ部が上方に被さるため、葺設状態における防災瓦の頭側が全体的に浮き上がらない様にすることが可能になった。
【先行技術文献】
【特許文献】
【０００７】
【特許文献１】特開平１０−１５２９５０号公報（特に、〔図１〕（ｂ）、〔図５〕（ｂ）、〔図６〕参照）
【特許文献２】特許第３５０２３０９号公報（特に、〔図１９〕参照）
【発明の概要】
【発明が解決しようとする課題】
【０００８】
しかし、上記従来技術１に上記従来技術２の技術を採用すれば、瓦を固定するためにアスファルトルーフィング及び野地板に打ち込む釘、ネジ等を使用せずに、耐風機能を具備した瓦屋根を構築することが可能であるが、葺設前後で係止突起が折損する危険性を否定出来ず、而も陶磁器製の瓦では寸法誤差が大きくある程度の遊びを持たせて製造する必要があることから、係合状態が緩くなるため、強風下で頭側が僅かにがたつくことになるなど、解決せねばならない課題があった。
【課題を解決するための手段】
【０００９】
本発明は、上記従来技術に基づく、尻側に掛止突起を有する防災瓦では、掛止突起の折損や、係合状態が緩くなる課題に鑑み、一側部にアンダーラップ部を、他側部にオーバーラップ部を有し、尻側裏面に引掛けを、頭側に前垂れを一体形成した瓦本体と、該瓦本体の頭側裏面におけるオーバーラップ部との境界部寄りに固定一体化した係止クリップとを有し、該係止クリップは、瓦本体への固定部と、該固定部の端部に連続形成された弾性変形可能なクリップ本体部とを有し、該クリップ本体部の先端に、前記瓦本体の頭側への折返し部を形成した平板瓦を、引掛けを、屋根下地に固定された横桟に掛止し、前記平板瓦の係止クリップにおける伸長変形状態のクリップ本体部の折返し部を、前記横桟における流れ方向の上方側に設けた被係止部に掛止状態としてクリップ本体部の弾性復元力により緊密な係合状態を確保しつつ、瓦本体の頭側のオーバーラップ部側を下方に押さえ付けると同時に、瓦本体のオーバーラップ部で、桁行き方向に隣接する瓦本体のアンダーラップ部を上方より押さえ付けて頭側のアンダーラップ部側を下方に押さえ付けることで、葺設状態における瓦本体の頭側が全体的に下方に押し付けられて、浮き上がらずがたつきもしない様にして、上記課題を解決する。
【発明の効果】
【００１０】
要するに本発明は、一側部にアンダーラップ部を、他側部にオーバーラップ部を有し、尻側裏面に引掛けを、頭側に前垂れを一体形成した瓦本体と、該瓦本体の頭側裏面におけるオーバーラップ部との境界部寄りに固定一体化した係止クリップとを有し、該係止クリップは、瓦本体への固定部と、該固定部の端部に連続形成された弾性変形可能なクリップ本体部とを有し、該クリップ本体部の先端に、前記瓦本体の頭側への折返し部を形成しているので、前記クリップ本体部を伸長変形させて折返し部を屋根下地側に引っ掛ければ、この係止クリップにより平板瓦の頭側をオーバーラップ部に近い位置で固定出来ると同時に、この平板瓦のアンダーラップ部は、桁行き方向に隣接する平板瓦のオーバーラップ部で上方より押さえ付けることが出来ることから、葺設状態における平板瓦の頭側が全体的に下方の平板瓦に押し付けられて浮き上がらない様にすることが出来るため、尻側に突起を設けずに、上記従来技術２と同様に、耐風機能を具備させた瓦屋根を構築することが出来るのに加えて、係止クリップが瓦本体とは異材質で、而もクリップ本体部が弾性変形可能であるため、屋根下地側と緊密に係合させることが出来、よって葺設状態における平板瓦の頭側のがたつきを完全に防止することが出来る。
【００１１】
請求項１記載の平板瓦における引掛けを、屋根下地に固定された横桟に掛止し、前記平板瓦の係止クリップにおける伸長変形状態のクリップ本体部の折返し部を、前記横桟における流れ方向の上方側に設けた被係止部に掛止状態としているので、前記係止クリップに近いオーバーラップ部で、桁行き方向に隣接する平板瓦のアンダーラップ部を上方より押さえ付けると同時に、流れ方向に隣接する下方の平板瓦の尻側も上方より押さえ付けることが出来ることから、平板瓦の釘、ネジ等による固定が不要になるため、雨漏り発生のリスクを抑えることが出来、而も葺設状態における平板瓦の頭側が全体的に下方の平板瓦に押し付けられて浮き上がらずがたつきもしないため、高い耐風機能を備えた瓦屋根にすることが出来る。
【００１２】
前記横桟は、流れ方向に対向する一対の壁部材と、該一対の壁部材の下端部の連結部材とを有し、前記被係止部を、前記流れ方向の上方側に位置する他方の壁部材の先端部を折り返して形成しているので、該被係止部に前記平板瓦の係止クリップにおける折返し部を引っ掛けることが出来、而も前記横桟に、前記平板瓦の一対の引掛けが嵌まり込むことから、前記他方の壁部材は前記平板瓦の尻側端面の外側に位置するため、この壁部材における被係止部への、前記平板瓦の係止クリップにおける折返し部の引っ掛け作業を簡単に行うことが出来、而も通常は金属製のものを使用するため、固定する釘、ネジ等の貫通部位からの雨漏りを抑止することが出来る等その実用的効果甚だ大である。
【図面の簡単な説明】
【００１３】
【図１】本発明に係る平板瓦の底面図である。
【図２】図１のＸ−Ｘ断面図である。
【図３】図１の平板瓦底面の要部拡大斜視図である。
【図４】本発明に係る横桟の要部拡大斜視図である。
【図５】本発明に係る瓦屋根構造の断面図である。
【発明を実施するための形態】
【００１４】
本発明に係る平板瓦１にあっては、基本的に、一側部にアンダーラップ部２を、他側部にオーバーラップ部３を有し、尻側裏面に一対の引掛け４、4aを、頭側に前垂れ５を一体形成している瓦本体６と、該瓦本体６の頭側裏面におけるオーバーラップ部３との境界部寄りに係止クリップ７を固定一体化している。
係止クリップ７にあっては、瓦本体６への固定部８と、該固定部８の尻側端部に連続形成された変形可能なくの字状のクリップ本体部９とを有し、該クリップ本体部９の先端に、瓦本体６の頭側への折返し部10を形成している。
【００１５】
本発明に係る平板瓦１用の横桟11にあっては、木材、金属、硬質樹脂などの現場で切断可能な硬質材料からなり、好ましくは金属製とし、設置状態における流れ方向の上方側の部位に、係止クリップ７における折返し部10の被係止部15を設けている。
【００１６】
そして、本発明に係る耐風瓦屋根構造にあっては、平板瓦１における引掛け４、4aを、屋根下地Ｗに固定された横桟11に引っ掛け状態とし、平板瓦１の係止クリップ７における伸長変形状態のクリップ本体部９の折返し部10を、横桟11における他方の壁部材13の被係止部15に掛止状態としている。
【実施例１】
【００１７】
図１は本発明に係る平板瓦の底面図、図２は図１のＸ−Ｘ断面図、図３は図１の平板瓦底面の要部拡大斜視図であり、かかる平板瓦１は、アンダーラップ部２、オーバーラップ部３、一対の引掛け４、4a及び前垂れ５を有する一般的な陶磁器製の平板瓦である瓦本体６と、該瓦本体６に固定一体化された金属板製の係止クリップ７とを有している。
【００１８】
係止クリップ７は、外力により撓曲可能なバネ鋼帯板を適宜折曲して弾性変形可能に形成され且つ屈曲部位を屈伸可能とし、中間部３箇所と先端側部位を同じ方向に所定角度折り曲げることで、折板バネ状の固定部８、くの字状のクリップ本体部９及び該くの字状のクリップ本体部９の先端側の折返し部10を形成している。
具体的には、固定部８の尻側端部にクリップ本体部９が連続形成され、該クリップ本体部９は固定部８より下方且つ尻側へ傾斜する基端部位9aと、該基端部位9aの先端より下方且つ頭側へ傾斜する先端部位9bとを有し、該先端部位9bの先端に折返し部10が形成されている。
【００１９】
図４は本発明に係る横桟の要部拡大斜視図であり、かかる横桟11は金属製で、屋根下地Ｗにおける流れ方向に対向する一対の壁部材12、13と、該一対の壁部材12、13の下端部の連結部材14とを有し、屋根下地Ｗにおける流れ方向の上方側に位置する他方の壁部材13の先端部を外側に折り返して上記被係止部15を形成している。
又、他方の壁部材13を一方の壁部材12より高くし、この横桟11は、連結部材14を貫通させた釘、ネジ等を屋根下地Ｗに打ち込むことで該屋根下地Ｗに固定される。
【００２０】
次に、本発明に係る耐風瓦屋根工法について説明すると、基本的には、横桟11の屋根下地Ｗへの固定工程と、固定された横桟11へ引掛け４、4aを嵌め込んで屋根下地Ｗ上に平板瓦１を葺設する工程と、該平板瓦１の係止クリップ７におけるクリップ本体部９を変形させて、係止クリップ７における折返し部10を、横桟11における他方の壁部材13の被係止部15に係合させる工程とを有している。
【００２１】
具体的には、下記（１）〜（３）工程により、耐風機能を備えた瓦屋根が構築される。（１）複数本の横桟11、11…を、屋根下地Ｗ上に流れ方向に所定間隔毎に配列し、釘、ネジ等を連結部材14を貫通させて屋根下地Ｗに打ち込んで、屋根下地Ｗに固定する。
（２）平板瓦１を、引掛け４、4aを横桟11に嵌め込み、前垂れ５の下端を葺設状態の下方の平板瓦１上に置く様にして、葺設する。
（３）葺設直後に、平板瓦１の下方にアンダーラップ部２側から差し込んだ棒状の叩打器具（図示せず）で平板瓦１の係止クリップ７におけるクリップ本体部９の屈曲部位を叩いて（図５中に表した矢印参照）、クリップ本体部９を、該クリップ本体部９を被係止部15に摺接させたまま伸ばす様に変形させて、該被係止部15に係止クリップ７の折返し部10を係合させる。
【００２２】
上記（１）〜（３）工程を繰り返して完成した瓦屋根においては、変形状態のクリップ本体部９の弾性復元力により、各平板瓦１の頭側の全体が下方の平板瓦１の尻側上面に押し付けられるため、各平板瓦１の頭側の浮き上がりが完全に防止され、而も押し付けられた下方の平板瓦１の尻側も、屋根下地Ｗ側に押し付けられると共に、横桟11に引掛け４、4aが嵌め込まれていることで固定されるため、平板瓦１を固定するための釘、ネジ等が不要になる。
【００２３】
尚、図面上、瓦本体６の裏面に形成された肉盛部16に、固定部８の幅より広い貫通スリット17を形成し、該貫通スリット17に圧縮変形させた固定部８を差し込んで、該固定部８の弾性復元力により固定部８が貫通スリット17の内面に密着して、瓦本体６に対し係止クリップ７が固定一体化されているが、かかる構成に何ら限定されず、例えば接着剤により固定一体化するなど、要するに瓦本体６から係止クリップ７が離脱しない構成であれば良い。
【００２４】
又、上記実施例における横桟11にあっては、一対の壁部材12、13、連結部材14及び他方の壁部材13の先端部を外側に折り返して形成された被係止部15により構成することで、平板瓦１を、その引掛け４、4aを一対の壁部材12、13の間に嵌め込んで、横桟11に対し掛止状態と成る様にしているが、かかる形態に何ら限定されず、要するに平板瓦１の引掛け４、4aが掛止可能で且つ係止クリップ７における折返し部10に対する被係止部15が形成されていれば良い。
【符号の説明】
【００２５】
１      平板瓦
２      アンダーラップ部
３      オーバーラップ部
４、4a  一対の引掛け
５      前垂れ
６      瓦本体
７      係止クリップ
８      固定部
９      クリップ本体部
10      折返し部
11      横桟
12、13  一対の壁部材
14      連結部材
15      被係止部
Ｗ      屋根下地
【図１】
2016023474.tif 000003
【図２】
2016023474.tif 000004
【図３】
2016023474.tif 000005
【図４】
2016023474.tif 000006
【図５】
2016023474.tif 000007